(57)【要約】      （修正有）【課題】どのような腕時計についても表示している時刻の精度に関するデータを収集して他の機器に提供する腕時計用バンドを提供する。【解決手段】腕時計用バンドは、腕時計の内部で発生する刻音を検出し、前記刻音を示す刻音データを生成する刻音センサと、前記刻音データに基づいて、前記腕時計の歩度及び前記腕時計が備えるテンプの振り角の少なくとも一方を含み、前記腕時計が表示している時刻の精度を示す精度データを生成する精度データ生成機能３０７２ａと、前記精度データを他の機器に送信するデータ送信機能３０７３ａと、を備える。【選択図】図３
2020163106.tif 000002
【特許請求の範囲】
【請求項１】
腕時計の内部で発生する刻音を検出し、前記刻音を示す刻音データを生成する刻音センサと、
前記刻音データに基づいて、前記腕時計の歩度及び前記腕時計が備えるテンプの振り角の少なくとも一方を含み、前記腕時計が表示している時刻の精度を示す精度データを生成する精度データ生成部と、
前記精度データを他の機器に送信するデータ送信部と、
を備える腕時計用バンド。
【請求項２】
前記腕時計の外部の環境を示す物理量を検出し、前記物理量を示す環境データを生成する環境センサを更に備え、
前記データ送信部は、前記環境データを前記他の機器に更に送信する、
請求項１に記載の腕時計用バンド。
【請求項３】
腕時計の内部で発生する刻音を検出し、前記刻音を示す刻音データを生成する刻音センサと、
前記刻音データを他の機器に送信するデータ送信部と、
を備える腕時計用バンド。
【請求項４】
前記腕時計の外部の環境を示す物理量を検出し、前記物理量を示す環境データを生成する環境センサを更に備え、
前記データ送信部は、前記環境データを前記他の機器に更に送信する、
請求項３に記載の腕時計用バンド。
【請求項５】
前記刻音センサは、前記腕時計に取り付けられているバネ棒に接触しており、前記腕時計が備える時計ケース及び前記バネ棒を通して伝達されてくる振動を検出することにより、前記刻音を検出する、
請求項１から請求項４のいずれか一つに記載の腕時計用バンド。
【請求項６】
前記刻音センサは、前記腕時計が備える時計ケース及び空気中を通して伝達されてくる振動を検出することにより、前記刻音を検出する、
請求項１から請求項４のいずれか一つに記載の腕時計用バンド。
【請求項７】
前記刻音センサは、圧電素子である、
請求項１から請求項６のいずれか一つに記載の腕時計用バンド。
【請求項８】
前記刻音センサは、マイクロフォンである、
請求項１から請求項６のいずれか一つに記載の腕時計用バンド。
【請求項９】
前記刻音センサは、第一面と、前記第一面と対向しており、かつ、孔が形成されている第二面と、前記第一面から前記第二面が位置する方向と反対の方向に突出している第一突出部とを有するバネ棒筐体と、前記孔から前記第一面が位置する方向と反対の方向に突出しており、中心軸が前記第一突出部と一致している第二突出部とを備えるバネ棒の前記バネ棒筐体に接触している接触部材に取り付けられている、
請求項１から請求項４のいずれか一つに記載の腕時計用バンド。
【請求項１０】
前記バネ棒が収納される筐体と前記バネ棒との間を密封する密封装置を更に備える、
請求項９に記載の腕時計用バンド。
【請求項１１】
前記孔と前記第二突出部との間を密封する密封装置を更に備える、
請求項９又は請求項１０に記載の腕時計用バンド。
【請求項１２】
前記接触部材は、前記中心軸を通る平面による断面が前記バネ棒に向かって凸となる形状を有する、
請求項９又は請求項１０に記載の腕時計用バンド。
【請求項１３】
前記刻音センサは、バネ棒筐体に形成されているバネ挿入孔に挿入され、突出部のうち前記バネ棒筐体に収納されている部分を押すことにより前記バネ棒筐体に形成されている突出孔から前記突出部の一部を突出させるバネに取り付けられている、
請求項１から請求項４のいずれか一つに記載の腕時計用バンド。
【請求項１４】
バネ棒が収納される筐体と前記バネ棒との間を密封する密封装置を更に備える、
請求項１３に記載の腕時計用バンド。
【請求項１５】
前記突出孔と前記突出部との間を密封する密封装置を更に備える、
請求項１３又は請求項１４に記載の腕時計用バンド。
【請求項１６】
バネ棒が収納される筐体は、第一容器の縁と、第二容器の縁とを合わせることにより組み立てられ、
前記バネ棒は、前記バネ棒筐体が前記第一容器の縁と前記第二容器の縁とに挟まれた状態で固定される、
請求項９から請求項１５のいずれか一つに記載の腕時計用バンド。
【請求項１７】
前記刻音センサは、圧電素子である、
請求項９から請求項１６のいずれか一つに記載の腕時計用バンド。
【発明の詳細な説明】
【技術分野】
【０００１】
本発明は、腕時計用バンドに関する。
【背景技術】
【０００２】
機械式腕時計は、精巧に組み上げられたムーブメントを備えた工芸品としての魅力を有する等の理由から多くのユーザを惹きつけている。ところが、機械式腕時計は、表示している時刻の精度が使用状況によって変化することがあり、精度が低下した場合、オーバーホール等の修理点検が必要になることがある。このため、機械式腕時計の精度は、機械式腕時計のユーザにとって大きな関心事の一つとなっている。
【０００３】
例えば、特許文献１には、機械式腕時計の精度を評価してユーザに通知する技術の一例として、機械式ムーブメントと、歩度等を計測する機能を有するスマートウォッチ機能を実現するための回路基板とを備える腕時計が開示されている。
【先行技術文献】
【特許文献】
【０００４】
【特許文献１】欧州特許出願公開第３３３０８１１号明細書
【０００５】
しかし、上述した腕時計は、回路基板と共に時計ケースに内蔵されている機械式ムーブメントにより表示されている時刻の精度に関するデータしか収集することができない。このため、当該腕時計は、ユーザが以前から愛用していた機械式腕時計等の腕時計の精度に関するデータを収集して他の機器に送信し、腕時計の精度の評価や適切な修理点検の内容及び時期を通知に役立てることができない。
【発明の概要】
【発明が解決しようとする課題】
【０００６】
本発明は、上記の問題点に鑑みてなされたものであって、どのような腕時計についても表示している時刻の精度に関するデータを収集して他の機器に提供することを目的とする。
【課題を解決するための手段】
【０００７】
上記目的を達成するため、本発明の一態様に係る腕時計用バンドは、腕時計の内部で発生する刻音を検出し、前記刻音を示す刻音データを生成する刻音センサと、前記刻音データに基づいて、前記腕時計の歩度及び前記腕時計が備えるテンプの振り角の少なくとも一方を含み、前記腕時計が表示している時刻の精度を示す精度データを生成する精度データ生成部と、前記精度データを他の機器に送信するデータ送信部と、を備える。
【０００８】
また、本発明の一態様に係る腕時計用バンドは、前記腕時計の外部の環境を示す物理量を検出し、前記物理量を示す環境データを生成する環境センサを更に備え、前記データ送信部は、前記環境データを前記他の機器に更に送信する。
【０００９】
上記目的を達成するため、本発明の一態様に係る腕時計用バンドは、腕時計の内部で発生する刻音を検出し、前記刻音を示す刻音データを生成する刻音センサと、前記刻音データを他の機器に送信するデータ送信部と、を備える。
【００１０】
また、本発明の一態様に係る腕時計用バンドは、前記腕時計の外部の環境を示す物理量を検出し、前記物理量を示す環境データを生成する環境センサを更に備え、前記データ送信部は、前記環境データを前記他の機器に更に送信する。
【００１１】
また、本発明の一態様に係る腕時計用バンドにおいて、前記刻音センサは、前記腕時計に取り付けられているバネ棒に接触しており、前記腕時計が備える時計ケース及び前記バネ棒を通して伝達されてくる振動を検出することにより、前記刻音を検出する。
【００１２】
また、本発明の一態様に係る腕時計用バンドにおいて、前記刻音センサは、前記腕時計が備える時計ケース及び空気中を通して伝達されてくる振動を検出することにより、前記刻音を検出する。
【００１３】
また、本発明の一態様に係る腕時計用バンドにおいて、前記刻音センサは、圧電素子である。
【００１４】
また、本発明の一態様に係る腕時計用バンドにおいて、前記刻音センサは、マイクロフォンである。
【００１５】
また、本発明の一態様に係る腕時計用バンドにおいて、前記刻音センサは、第一面と、前記第一面と対向しており、かつ、孔が形成されている第二面と、前記第一面から前記第二面が位置する方向と反対の方向に突出している第一突出部とを有するバネ棒筐体と、前記孔から前記第一面が位置する方向と反対の方向に突出しており、中心軸が前記第一突出部と一致している第二突出部とを備えるバネ棒の前記バネ棒筐体に接触している接触部材に取り付けられている。
【００１６】
また、本発明の一態様に係る腕時計用バンドは、前記バネ棒が収納される筐体と前記バネ棒との間を密封する密封装置を更に備える。
【００１７】
また、本発明の一態様に係る腕時計用バンドは、前記孔と前記第二突出部との間を密封する密封装置を更に備える。
【００１８】
また、本発明の一態様に係る腕時計用バンドにおいて、前記接触部材は、前記中心軸を通る平面による断面が前記バネ棒に向かって凸となる形状を有する。
【００１９】
また、本発明の一態様に係る腕時計用バンドにおいて、前記刻音センサは、バネ棒筐体に形成されているバネ挿入孔に挿入され、突出部のうち前記バネ棒筐体に収納されている部分を押すことにより前記バネ棒筐体に形成されている突出孔から前記突出部の一部を突出させるバネに取り付けられている。
【００２０】
また、本発明の一態様に係る腕時計用バンドは、バネ棒が収納される筐体と前記バネ棒との間を密封する密封装置を更に備える。
【００２１】
また、本発明の一態様に係る腕時計用バンドは、前記突出孔と前記突出部との間を密封する密封装置を更に備える。
【００２２】
また、本発明の一態様に係る腕時計用バンドにおいて、バネ棒が収納される筐体は、第一容器の縁と、第二容器の縁とを合わせることにより組み立てられ、前記バネ棒は、前記バネ棒筐体が前記第一容器の縁と前記第二容器の縁とに挟まれた状態で固定される。
【００２３】
また、本発明の一態様に係る腕時計用バンドにおいて、前記刻音センサは、圧電素子である。
【発明の効果】
【００２４】
本発明によれば、どのような腕時計についても表示している時刻の精度に関するデータを収集して他の機器に提供することができる。
【図面の簡単な説明】
【００２５】
【図１】第一実施形態に係る腕時計の一例を示す図である。
【図２】第一実施形態に係る腕時計用バンドに搭載されたコンピュータ及び回路の一例を示す図である。
【図３】第一実施形態に係るＣＰＵが実行するデータ送信プログラムの一例を示す図である。
【図４】第一実施形態に係る腕時計用バンドの構造の一例を示す図である。
【図５】第二実施形態に係るＣＰＵが実行するデータ送信プログラムの一例を示す図である。
【図６】他の実施形態に係る腕時計用バンドの一例を示す図である。
【図７】他の実施形態に係る腕時計用バンドの一例を示す図である。
【図８】第三実施形態に係る腕時計の一例を示す図である。
【図９】第三実施形態に係るバネ棒の一例を示す図である。
【図１０】第三実施形態に係る腕時計用バンドのエンドピースの構造を＋Ｚ方向側から見た場合の一例を示す図である。
【図１１】図１０に示したエンドピースのＡ−Ａ断面を−Ｙ方向側から見た場合の一例を示す図である。
【図１２】図１０に示したエンドピースのＢ−Ｂ断面を−Ｘ方向側から見た場合の一例を示す図である。
【図１３】他の実施形態に係る腕時計用バンドのエンドピースの構造を−Ｙ方向側から見た場合の一例を示す図である。
【図１４】他の実施形態に係るバネ棒の構造の一例を示す図である。
【図１５】他の実施形態に係るバネ棒の構造の一例を示す図である。
【図１６】他の実施形態に係る接触部材の構造の一例を示す図である。
【図１７】他の実施形態に係る接触部材の構造の一例を示す図である。
【図１８】他の実施形態に係る接触部材の構造の一例を示す図である。
【図１９】他の実施形態に係る接触部材の構造の一例を示す図である。
【図２０】他の実施形態に係る接触部材の構造の一例を示す図である。
【図２１】第四実施形態に係る時計ケースとエンドピースとがバネ棒により接続される前におけるバネ棒及びエンドピースの構造を＋Ｚ方向側から見た場合の一例を示す図である。
【図２２】第四実施形態に係る時計ケースとエンドピースとがバネ棒により接続される際におけるバネ棒及びエンドピースの構造を＋Ｚ方向側から見た場合の一例を示す図である。
【発明を実施するための形態】
【００２６】
［第一実施形態］
図１から図４を参照しながら、第一実施形態に係る腕時計用バンドの一例について説明する。図１は、第一実施形態に係る腕時計の一例を示す図である。図２は、第一実施形態に係る腕時計用バンドに搭載されたコンピュータ及び回路の一例を示す図である。図１に示すように、腕時計１００は、時計ケース１０と、バネ棒２０と、腕時計用バンド３０とを備える。
【００２７】
時計ケース１０は、機械式ムーブメント、時針、分針、秒針等が収納されている筐体であり、バネ棒２０により腕時計用バンド３０と接続されている。
【００２８】
腕時計用バンド３０は、刻音センサ３０１と、アンプ３０２と、フィルタ３０３と、環境センサ３０４と、発振回路３０５と、分周回路３０６と、ＲＯＭ（Read  Only  Memory）３０７と、ＲＡＭ（Random  Access  Memory）３０８と、ＣＰＵ（Central  Processing  Unit）３０９と、通信部３１０とを備える。
【００２９】
刻音センサ３０１は、腕時計１００の内部で発生する刻音を検出し、刻音を示す刻音データを生成する装置である。ここで言う刻音は、例えば、腕時計１００が備える脱進機が動作することにより発生する音である。すなわち、ここで言う刻音は、例えば、腕時計１００が備えるがんぎ車とアンクルとが接触することにより発生する音である。また、刻音センサ３０１は、例えば、圧電素子、マイクロフォンである。さらに、刻音センサ３０１は、腕時計１００に取り付けられているバネ棒２０に接触している。
【００３０】
刻音センサ３０１は、腕時計１００が備える時計ケース１０及びバネ棒２０を通して伝達されてくる振動を検出することにより、刻音を検出する。或いは、腕時計１００が備える時計ケース１０及び空気中を通して伝達されてくる振動を検出することにより、刻音を検出する。そして、刻音センサ３０１は、検出した刻音をアナログ形式又はデジタル形式のデータである刻音データに変換してアンプ３０２に送信する。アンプ３０２は、刻音データが示す刻音の波形の振幅を増幅する。フィルタ３０３は、アンプ３０２により増幅された刻音の波形に含まれるノイズを除去して刻音データをＣＰＵ３０９に送信する。
【００３１】
環境センサ３０４は、腕時計１００の外部の環境を示す物理量を検出し、物理量を示す環境データを生成する。環境センサ３０４は、例えば、加速度センサ、温度センサ、気圧センサ、磁気センサである。また、ここで言う外部の環境を示す物理量は、例えば、腕時計１００の加速度、腕時計１００の周辺の温度、気圧、磁場の大きさである。さらに、環境データは、刻音データと対応付けられたデータである。例えば、環境データは、時系列データである刻音データと同じ期間に検出された物理量を示すデータである。
【００３２】
腕時計１００の加速度の変化は、腕時計１００を装着しているユーザの腕の振り方に応じて変化したり、腕時計１００が落下した場合に変化したりする。これらの場合、腕時計１００に内蔵されているぜんまいに加わる重力が変化するため、ぜんまいの動作が変化し、腕時計１００の歩度及び腕時計１００が備えるテンプの振り角が変化することがある。
【００３３】
腕時計１００の周辺の温度の変化は、腕時計１００が備えるムーブメントを構成している部品の膨張や収縮に影響を与え、ムーブメントの動作を変化させるため、腕時計１００の歩度及び腕時計１００が備えるテンプの振り角を変化させることがある。
【００３４】
腕時計１００の周辺の気圧の変化は、腕時計１００の内部に存在する気体の密度を変化させることにより、腕時計１００が備えるテンプが動作する際に受ける空気抵抗の大きさを変化させる。これにより、腕時計１００の周辺の気圧の変化は、腕時計１００の歩度及び腕時計１００が備えるテンプの振り角を変化させることがある。
【００３５】
腕時計１００の周辺の磁場の変化は、腕時計１００が備えるムーブメントを構成している部品の動作を変化させるため、腕時計１００の歩度及び腕時計１００が備えるテンプの振り角を変化させることがある。また、腕時計１００の周辺の磁場を変化させる要因としては、例えば、腕時計１００の周辺に置かれたバッグの開閉部分に埋め込まれた磁石が挙げられる。
【００３６】
発振回路３０５は、所定の周波数、例えば、３２７６８Ｈｚの周波数を有する信号を発生させて分周回路３０６に送信する。分周回路３０６は、発振回路３０５から受信した信号を分周して計時の基準となる時計信号を発生させてＣＰＵ３０９に送信する。
【００３７】
ＲＯＭ３０７は、ＣＰＵ３０９が読み出して実行するプログラム、例えば、図３に示したデータ送信プログラム３０７０ａを記憶している。図３は、第一実施形態に係るＣＰＵが実行するデータ送信プログラムの一例を示す図である。図３に示すように、データ送信プログラム３０７０ａは、データ取得機能３０７１ａと、精度データ生成機能３０７２ａと、データ送信機能３０７３ａとを備える。
【００３８】
データ取得機能３０７１ａは、刻音センサ３０１、アンプ３０２及びフィルタ３０３を使用して生成された刻音データを取得する機能である。また、データ取得機能３０７１ａは、環境センサ３０４を使用して生成された環境データを更に取得してもよい。精度データ生成機能３０７２ａは、刻音データに基づいて、腕時計１００の歩度及び腕時計１００が備えるテンプの振り角の少なくとも一方を含み、腕時計１００が表示している時刻の精度を示す精度データを生成する機能である。具体的には、精度データ生成機能３０７２ａは、刻音データが示す刻音の波形の周波数と、分周回路３０６により生成された時計信号の周波数とを比較し、両者の差分から歩度及び振り角を算出する機能である。精度データは、他の機器において、腕時計１００が表示している時刻の精度の評価及びこの評価結果に基づく修理点検の内容や時期の通知に使用されるデータである。また、ここで言う他の機器は、スマートフォン、タブレットである。データ送信機能３０７３ａは、後述する通信部３１０を使用して精度データを他の機器に送信する機能である。また、データ送信機能３０７３ａは、後述する通信部３１０を使用して環境データを他の機器に更に送信してもよい。
【００３９】
ＲＡＭ３０８は、上述した刻音データ、環境データ及び精度データを記憶している。
【００４０】
ＣＰＵ３０９は、図３に示したデータ送信プログラム３０７０ａを読み出して実行する。これにより、ＣＰＵ３０９は、刻音センサ３０１、アンプ３０２及びフィルタ３０３を使用して刻音データを取得し、精度データ生成機能３０７２ａ、発振回路３０５及び分周回路３０６を使用して精度データを生成し、データ送信機能３０７３ａ及び通信部３１０を使用して精度データを他の機器に送信する。また、ＣＰＵ３０９は、ＲＯＭ３０７に記憶されている各種プログラムを読み出して実行することにより、腕時計用バンド３０の各構成要素を適宜制御する。
【００４１】
通信部３１０は、ＣＰＵ３０９により生成された精度データを他の機器に送信する。また、通信部３１０は、ＲＡＭ３０８に記憶されている精度データを定期的に他の機器に送信してもよいし、ＲＡＭ３０８に精度データが記憶される度に当該刻音データを他の機器に送信してもよい。
【００４２】
通信部３１０は、ＣＰＵ３０９により生成された環境データを他の機器に更に送信してもよい。また、通信部３１０は、ＲＡＭ３０８に記憶されている環境データを定期的に他の機器に送信してもよいし、ＲＡＭ３０８に環境データが記憶される度に当該環境データを他の機器に送信してもよい。
【００４３】
図４は、第一実施形態に係る腕時計用バンドの構造の一例を示す図である。腕時計用バンド３０は、金属製のバンドであり、バックル３１１と、複数のセグメント３１２と、複数のケーブル３１３とを備える。
【００４４】
バックル３１１は、例えば、ユーザが自身の腕に腕時計１００を着脱す場合に腕時計用バンド３０の長さを変更するための金具であり、例えば、図２に示した発振回路３０５、分周回路３０６、ＲＯＭ３０７、ＲＡＭ３０８、ＣＰＵ３０９及び通信部３１０を含むモジュールが収納されている。
【００４５】
セグメント３１２は、他のセグメント３１２又はバックル３１１と連結されることにより、金属製のバンドを形成しており、内部に設けられた収納部３１２１に、例えば、図２に示した刻音センサ３０１、アンプ３０２及びフィルタ３０３を含むモジュールが収納される。
【００４６】
ケーブル３１３は、バックル３１１に収納されている発振回路３０５、分周回路３０６、ＲＯＭ３０７、ＲＡＭ３０８、ＣＰＵ３０９及び通信部３１０を含むモジュールと、セグメント３１２に収納されている刻音センサ３０１、アンプ３０２及びフィルタ３０３を含むモジュールとを接続している。
【００４７】
なお、腕時計用バンド３０は、ケーブル３１３の代わりにフレキシブル回路基板を備えていてもよい。このフレキシブル回路基板は、バックル３１１に収納されている発振回路３０５、分周回路３０６、ＲＯＭ３０７、ＲＡＭ３０８、ＣＰＵ３０９及び通信部３１０を含むモジュールと、セグメント３１２に収納されている刻音センサ３０１、アンプ３０２及びフィルタ３０３を含むモジュールとを接続する。
【００４８】
以上、第一実施形態に係る腕時計用バンド３０について説明した。腕時計用バンド３０は、腕時計１００の内部で発生する刻音を示す刻音データを生成し、刻音データに基づいて、腕時計１００が表示している時刻の精度を示す精度データを生成して他の機器に送信する。これにより、腕時計用バンド３０は、どのような腕時計についても表示している時刻の精度に関するデータを収集して他の機器に提供することができる。
【００４９】
また、腕時計用バンド３０は、腕時計１００の外部の環境を示す物理量を検出し、物理量を示す環境データを生成する環境センサ３０４を更に備え、環境データを他の機器に更に送信してもよい。これにより、腕時計用バンド３０は、どのような腕時計についても表示している時刻の精度に腕時計１００が使用されている環境を対応付けて他の機器に提供することができる。
【００５０】
また、刻音センサ３０１は、腕時計１００に取り付けられているバネ棒２０に接触しており、腕時計１００が備える時計ケース１０及びバネ棒２０を通して伝達されてくる振動を検出することにより、刻音を検出してもよい。これにより、腕時計用バンド３０は、時計ケース１０の外部で発生した振動を検出してしまうことにより、刻音データが示す刻音の波形にノイズが含まれてしまうことを抑制することができる。
【００５１】
また、刻音センサ３０１は、腕時計１００が備える時計ケース１０及び空気中を通して伝達されてくる振動を検出することにより、刻音を検出してもよい。これにより、腕時計用バンド３０は、必ずしも刻音センサ３０１をバネ棒２０と接触させる必要が無くなるため、製造工程が簡略化され、製造コストが低減される。
【００５２】
また、刻音センサ３０１は、圧電素子であってもよい。これにより、腕時計用バンド３０は、バネ棒２０の振動を正確に検出し、正確な刻音の波形を示す刻音データを生成することができる。
【００５３】
また、刻音センサ３０１は、マイクロフォンであってもよい。これにより、腕時計用バンド３０は、比較的安価な装置によりバネ棒２０から伝達されてくる振動を検出するため、製造コストが低減される。
【００５４】
［第二実施形態］
図５を参照しながら、第二実施形態に係る腕時計用バンドの一例について説明する。第二実施形態に係る腕時計用バンドは、図３に示したデータ送信プログラム３０７０ａの代わりに、図５に示したデータ送信プログラム３０７０ｂがＲＯＭ３０７に記憶されている。そこで、第二実施形態の説明では、第一実施形態と相違しているデータ送信プログラム３０７０ｂを中心に説明し、第一実施形態と重複する事項の説明を適宜省略する。
【００５５】
図５は、第二実施形態に係るＣＰＵが実行するデータ送信プログラムの一例を示す図である。図５に示すように、データ送信プログラム３０７０ｂは、データ取得機能３０７１ｂと、データ送信機能３０７２ｂとを備える。
【００５６】
データ取得機能３０７１ｂは、刻音センサ３０１、アンプ３０２及びフィルタ３０３を使用して生成された刻音データを取得する機能である。また、データ取得機能３０７１ｂは、環境センサ３０４を使用して生成された環境データを更に取得してもよい。また、データ送信機能３０７２ｂは、通信部３１０を使用して刻音データを他の機器に送信する機能してもよい。
【００５７】
通信部３１０は、ＣＰＵ３０９により生成された刻音データを他の機器に送信する。また、通信部３１０は、ＲＡＭ３０８に記憶されている刻音データを定期的に他の機器に送信してもよいし、ＲＡＭ３０８に刻音データが記憶される度に当該刻音データを他の機器に送信してもよい。
【００５８】
以上、第二実施形態に係る腕時計用バンドについて説明した。第二実施形態に係る腕時計用バンドは、腕時計１００の内部で発生する刻音を示す刻音データを生成し、刻音データを他の機器に送信する。つまり、第二実施形態に係る腕時計用バンドは、第一実施形態に係る腕時計用バンド３０と異なり、精度データを生成して他の機器に送信しないため、精度データを生成するためのハードウェア及びソフトウェアを備えている必要が無い。これにより、第二実施形態に係る腕時計用バンドは、第一実施形態に係る腕時計用バンド３０が奏する効果に加えて、簡易な構成により製造コストの低減及びコンパクト化を図ることができる。
【００５９】
なお、第一実施形態及び第二実施形態では、図４に示すように、時計ケース１０に金属製の腕時計用バンド３０が接続されている場合を例に挙げて説明したが、これに限定されない。例えば、時計ケース１０は、図６又は図７に示した腕時計用バンドが接続されていてもよい。
【００６０】
図６は、他の実施形態に係る腕時計用バンドの一例を示す図である。図６に示すように、腕時計用バンド３０Ｘは、革製のバンドであり、バックル３１１Ｘと、ベルト３１２Ｘとを備える。
【００６１】
バックル３１１Ｘは、例えば、図２に示した発振回路３０５、分周回路３０６、ＲＯＭ３０７、ＲＡＭ３０８、ＣＰＵ３０９及び通信部３１０を含むモジュールが収納されている。ベルト３１２Ｘは、バックル３１１Ｘと接続されることにより、革製のバンドを形成しており、内部に設けられた収納部３１２１Ｘに、例えば、図２に示した刻音センサ３０１、アンプ３０２及びフィルタ３０３を含むモジュールが収納される。なお、ベルト３１２Ｘは、革ではなく、ウレタン又はシリコンで作製されていてもよい。
【００６２】
図７は、他の実施形態に係る腕時計用バンドの一例を示す図である。図７に示すように、腕時計用バンド３０Ｙは、革製のバンドであり、バックル３１１Ｙと、ベルト３１２Ｙとを備える。
【００６３】
バックル３１１Ｙは、例えば、図２に示した発振回路３０５、分周回路３０６、ＲＯＭ３０７、ＲＡＭ３０８及びＣＰＵ３０９を含むモジュールが収納されている。ベルト３１２Ｙは、バックル３１１Ｙと接続されることにより、革製のバンドを形成しており、内部に設けられた収納部３１２１Ｙに、例えば、図２に示した刻音センサ３０１、アンプ３０２、フィルタ３及び通信部３１０を含むモジュールが収納される。なお、ベルト３１２Ｙは、革ではなく、ウレタン又はシリコンで作製されていてもよい。
【００６４】
［第三実施形態］
図８から図１２を参照しながら、第三実施形態に係る腕時計用バンドの一例について説明する。図８は、第三実施形態に係る腕時計の一例を示す図である。図８に示すように、腕時計１００ａは、時計ケース１０ａと、バネ棒２０ａと、腕時計用バンド３０ａとを備える。また、腕時計用バンド３０ａは、複数のセグメントを備える金属製のバンドであり、エンドピース４０ａを備える。さらに、腕時計１００ａは、上述した図２に示した刻音センサ３０１と、アンプ３０２と、フィルタ３０３と、環境センサ３０４と、発振回路３０５と、分周回路３０６と、ＲＯＭ３０７と、ＲＡＭ３０８と、ＣＰＵ３０９と、通信部３１０とを備える。
【００６５】
時計ケース１０ａは、機械式ムーブメント、時針、分針、秒針等が収納されている筐体である。バネ棒２０ａによりエンドピース４０ａと接続されている。エンドピース４０ａは、腕時計用バンド３０ａを構成しているセグメントのうち時計ケース１０ａに隣接しているセグメントである。
【００６６】
図９は、第三実施形態に係るバネ棒の一例を示す図である。図９に示すように、バネ棒２０ａは、バネ棒筐体２１ａと、第二突出部２２２ａと、コイルバネ２３ａと、密封装置２４ａとを備える。以下の説明では、図９から図２２に示したＸ軸、Ｙ軸及びＺ軸を使用する。Ｘ軸は、６時の方向を向いている軸である。Ｙ軸は、３時の方向を向いている軸であり、バネ棒２０ａの長手方向に平行である。Ｚ軸は、Ｘ軸及びＹ軸に平行な軸である。Ｘ軸、Ｙ軸及びＺ軸は、三次元直交座標を形成している。
【００６７】
バネ棒筐体２１ａは、中心軸がＹ軸と一致している円柱形状の筐体であり、第一面２１１ａと、第二面２１２ａと、第一突出部２２１ａとを備える。第一面２１１ａは、−Ｙ方向側に位置するバネ棒筐体２１ａの底面である。第二面２１２ａは、＋Ｙ方向側に位置するバネ棒筐体２１ａの底面であり、第一面２１１ａと対向している。また、第二面２１２ａは、中心がＹ軸上に位置している円形の孔２１２Ｈａが形成されている。第一突出部２２１ａは、第一面２１１ａから第二面２１２ａが位置する方向と反対の方向に突出しており、中心軸がＹ軸と一致している円柱形状の部材である。すなわち、第一突出部２２１ａは、−Ｙ方向に突出しており、中心軸がＹ軸と一致している円柱形状の部材である。図９に示すように、第一突出部２２１ａは、バネ棒筐体２１ａと一体に形成されている。また、第一突出部２２１ａは、側面から張り出している円形のつば２２１０ａを備える。つば２２１０ａは、バネ棒２０ａが時計ケース１０ａに取り付けられた場合、時計ケース１０ａに接触する。
【００６８】
第二突出部２２２ａは、第一面２１１ａに形成されている孔２１２Ｈａから突出しており、中心軸が第一突出部２２１ａと一致している円柱形状の部材である。第二突出部２２２ａが突出している方向は、第一面２１１ａが位置する方向と反対の方向である。すなわち、第二突出部２２２ａが突出している方向は、＋Ｙ方向である。また、第二突出部２２２ａは、側面から張り出している円形のつば２２２０ａを備える。つば２２２０ａは、バネ棒２０ａが時計ケース１０ａに取り付けられた場合、時計ケース１０ａに接触する。さらに、第二突出部２２２ａのうちバネ棒筐体２１ａの内部に位置している部分は、少なくとも一部のＺＸ平面内の寸法が孔２１２Ｈａの直径よりも大きくなっている。
【００６９】
コイルバネ２３ａは、回転面がＺＸ平面に平行な螺旋形状のバネである。コイルバネ２３ａは、バネ棒２０ａがエンドピース４０ａに挿入され、第一突出部２２１ａ及び第二突出部２２２ａが時計ケース１０ａに挿入される際に縮められる。また、コイルバネ２３ａは、第一突出部２２１ａ及び第二突出部２２２ａが時計ケース１０ａに挿入されている状態において、第一突出部２２１ａを−Ｙ方向に押し、第二突出部２２２ａを＋Ｙ方向に押すことにより、時計ケース１０ａとエンドピース４０ａとを接続する。
【００７０】
密封装置２４ａは、孔２１２Ｈａと、第二突出部２２２ａとの間を密封するシールである。
【００７１】
次に、図１０から図１２を参照しながら、エンドピース４０ａの構造について説明する。図１０は、第三実施形態に係る腕時計用バンドのエンドピースの構造を＋Ｚ方向側から見た場合の一例を示す図である。図１１は、図１０に示したエンドピースのＡ−Ａ断面を−Ｙ方向側から見た場合の一例を示す図である。図１２は、図１０に示したエンドピースのＢ−Ｂ断面を−Ｘ方向側から見た場合の一例を示す図である。図１０から図１２に示すように、エンドピース４０ａは、筐体４１ａと、接触部材４２ａと、刻音センサ４３ａとを備える。
【００７２】
筐体４１ａは、接触部材４２ａ及び刻音センサ４３ａを収納しており、バネ棒２０ａが挿入される。また、図１０及び図１２に示すように、筐体４１ａとバネ棒２０ａとの間は、密封装置５０ａにより密封されてもよい。密封装置５０ａは、筐体４１ａとバネ棒２０ａとの間を密封するシールである。
【００７３】
接触部材４２ａは、一端が筐体４１ａに接続されており、他端がバネ棒２０ａに向かって付勢されている弾性部材である。ここで言う弾性部材は、例えば、板バネである。また、接触部材４２ａは、バネ棒筐体２１ａに接触している。さらに、図１２に示すように、接触部材４２ａは、中心軸を通る平面による断面がバネ棒２０ａに向かって凸となる形状を有していてもよい。例えば、接触部材４２は、ＹＺ平面による断面がバネ棒２０ａに向かって円弧状に曲がっていてもよい。
【００７４】
刻音センサ４３ａは、腕時計１００ａの内部で発生する刻音を検出し、刻音を示す刻音データを生成する装置であり、接触部材に取り付けられている。また、刻音センサ４３ａは、例えば、圧電素子であり、図１２に示すように、接触部材４２ａに全体が接触している。
【００７５】
以上、第三実施形態に係る腕時計用バンド３０ａについて説明した。腕時計用バンド３０ａが備える刻音センサ４３ａは、第一面２１１ａと、第一面２１１ａから第二面２１２ａが位置する方向と反対の方向に突出している第一突出部２２１ａとを有するバネ棒筐体２１ａを備える。これにより、腕時計用バンド３０ａは、時計ケース１０ａの内部で発生して時計ケース１０ａに伝達された刻音による振動をバネ棒筐体２１ａ単体で取得して接触部材４２ａ及び刻音センサ４３ａに伝達させる。したがって、腕時計用バンド３０ａは、より正確な刻音を示す刻音データを取得することができる。
【００７６】
また、腕時計用バンド３０ａは、バネ棒２０ａが収納される筐体４１ａとバネ棒２０ａとの間を密封する密封装置５０ａを備える。これにより、腕時計用バンド３０ａは、筐体４１ａとバネ棒２０ａとの間に腕時計１００ａを装着しているユーザの汗等の水分が浸入することを抑制することができる。
【００７７】
また、腕時計用バンド３０ａは、孔２１２Ｈａと第二突出部２２２ａとの間を密封する密封装置２４ａを備える。これにより、腕時計用バンド３０ａは、孔２１２Ｈａと第二突出部２２２ａとの間に腕時計１００ａを装着しているユーザの汗等の水分が浸入することを抑制することができる。
【００７８】
また、腕時計用バンド３０ａは、バネ棒２０ａの中心軸を通る平面による断面がバネ棒２０ａに向かって凸となる形状を有する接触部材４２ａを備える。これにより、腕時計用バンド３０ａは、バネ棒２０ａが挿入される位置に向かって接触部材４２ａが付勢されている状態でもバネ棒２０ａを筐体４１ａに挿入し易くすることができる。すなわち、腕時計用バンド３０ａは、バネ棒２０ａが挿入される位置に向かって接触部材４２ａが付勢されている状態でも容易に組み立てられ得る。
【００７９】
第三実施形態では、腕時計用バンド３０ａが備えるエンドピースとしてエンドピース４０ａを例に挙げたが、これに限定されない。例えば、腕時計用バンドが備えるエンドピースとしては、図１３に示したエンドピース４０ｂが挙げられる。図１３は、他の実施形態に係る腕時計用バンドのエンドピースの構造を−Ｙ方向側から見た場合の一例を示す図である。
【００８０】
図１３に示すように、エンドピース４０ｂは、第一容器４１１ｂと、第二容器４１２ｂとから組み立てられている筐体４１ｂを備える。筐体４１ａは、第一容器４１１ｂの縁と、第二容器４１２ｂの縁とを合わせることにより組み立てられている。第一容器４１１ｂと第二容器４１２ｂとは、軸４４ｂにより揺動可能な状態で接続されている。なお、第一容器４１１ｂと第二容器４１２ｂとは、他の態様で組み立てられることにより、筐体４１ａを形成してもよい。
【００８１】
また、腕時計用バンドがエンドピース４０ｂを備える場合、バネ棒２０ａは、バネ棒筐体２１ａが第一容器４１１ｂの縁と第二容器４１２ｂの縁とに挟まれた状態で固定される。この場合、腕時計用バンドは、バネ棒２０ａが挿入される位置に向かって接触部材４２ａが強く付勢されている場合、接触部材４２ａのＹＺ平面による断面がバネ棒２０ａに向かって曲がっていない場合等であっても、第一容器４１１ｂと第二容器４１２ｂとを開いてバネ棒２０ａを組み込むことを可能にし得る。
【００８２】
また、第三実施形態では、腕時計用バンド３０ａが金属製のバンドである場合を例に挙げたが、これに限定されない。例えば、腕時計用バンド３０ａが革、ウレタン、シリコン等で作製されている場合であっても、例えば、図１１に示したエンドピース４０ａや図１３に示したエンドピース４０ｂと同様の構成が内蔵されていればよい。
【００８３】
また、第三実施形態では、腕時計用バンド３０ａが時計ケース１０ａとエンドピース４０ａとを接続するバネ棒として、第一突出部２２１ａがバネ棒筐体２１ａと一体に形成されているバネ棒２０ａを例に挙げたが、これに限定されない。例えば、腕時計用バンドは、図１４に示したバネ棒２０ｂ又は図１５に示したバネ棒２０ｃを備えていてもよい。バネ棒２０ｂ及びバネ棒２０ｃの説明では、バネ棒２０ａと同じ内容の説明を適宜省略する。
【００８４】
図１４は、他の実施形態に係るバネ棒の構造の一例を示す図である。図１４に示すように、バネ棒２０ｂは、バネ棒筐体２１ｂと、第二突出部２２２ａと、コイルバネ２３ａと、密封装置２４ａとを備える。
【００８５】
バネ棒筐体２１ｂは、中心軸がＹ軸と一致している円柱形状の筐体であり、第一面２１１ｂと、第二面２１２ｂと、第一突出部２２１ｂとを備える。第一面２１１ｂは、−Ｙ方向側に位置するバネ棒筐体２１ｂの底面である。また、第一面２１１ｂは、第一突出部２２１ｂと一体に形成されており、バネ棒筐体２１ｂの側面と別体に形成されている。第二面２１２ｂは、＋Ｙ方向側に位置するバネ棒筐体２１ｂの底面であり、第一面２１１ｂと対向している。また、第二面２１２ｂは、中心がＹ軸上に位置している円形の孔２１２Ｈｂが形成されており、バネ棒筐体２１ｂの側面と一体に形成されている。第一突出部２２１ｂは、第一面２１１ｂから第二面２１２ｂが位置する方向と反対の方向に突出しており、中心軸がＹ軸と一致している円柱形状の部材である。すなわち、第一突出部２２１ｂは、−Ｙ方向に突出しており、中心軸がＹ軸と一致している円柱形状の部材である。図１４に示すように、第一突出部２２１ｂは、バネ棒筐体２１ｂと圧入又は溶接により接続されている。また、第一突出部２２１ｂは、側面から張り出している円形のつば２２１０ｂを備える。つば２２１０ｂは、バネ棒２０ｂが時計ケース１０ａに取り付けられた場合、時計ケース１０ａに接触する。
【００８６】
第二突出部２２２ａは、第一面２１１ａに形成されている孔２１２Ｈａから突出しており、中心軸が第一突出部２２１ａと一致している円柱形状の部材である。また、第二突出部２２２ａのうちバネ棒筐体２１ｂの内部に位置している部分は、少なくとも一部のＺＸ平面内の寸法が孔２１２Ｈｂの直径よりも大きくなっている。
【００８７】
図１５は、他の実施形態に係るバネ棒の構造の一例を示す図である。図１４に示すように、バネ棒２０ｃは、バネ棒筐体２１ｃと、第二突出部２２２ａと、コイルバネ２３ａと、密封装置２４ａとを備える。
【００８８】
バネ棒筐体２１ｃは、中心軸がＹ軸と一致している円柱形状の筐体であり、第一面２１１ｃと、第二面２１２ｃと、第一突出部２２１ｃとを備える。第一面２１１ｃは、−Ｙ方向側に位置するバネ棒筐体２１ｃの底面である。また、第一面２１１ｃは、第一突出部２２１ｃと一体に形成されており、バネ棒筐体２１ｃの側面と別体に形成されている。第二面２１２ｃは、＋Ｙ方向側に位置するバネ棒筐体２１ｃの底面であり、第一面２１１ｃと対向している。また、第二面２１２ｃは、中心がＹ軸上に位置している円形の孔２１２Ｈｃが形成されており、バネ棒筐体２１ｃの側面と一体に形成されている。第一突出部２２１ｃは、第一面２１１ｃから第二面２１２ｃが位置する方向と反対の方向に突出しており、中心軸がＹ軸と一致している円柱形状の部材である。すなわち、第一突出部２２１ｃは、−Ｙ方向に突出しており、中心軸がＹ軸と一致している円柱形状の部材である。図１５に示すように、第一突出部２２１ｃとバネ棒筐体２１ｃとは、両者に形成されたネジ山により接続されている。また、第一突出部２２１ｃは、側面から張り出している円形のつば２２１０ｃを備える。つば２２１０ｃは、バネ棒２０ｃが時計ケース１０ａに取り付けられた場合、時計ケース１０ａに接触する。
【００８９】
第二突出部２２２ａは、第一面２１１ａに形成されている孔２１２Ｈａから突出しており、中心軸が第一突出部２２１ａと一致している円柱形状の部材である。また、第二突出部２２２ａのうちバネ棒筐体２１ｃの内部に位置している部分は、少なくとも一部のＺＸ平面内の寸法が孔２１２Ｈｃの直径よりも大きくなっている。
【００９０】
また、第三実施形態では、腕時計用バンド３０ａが備える接触部材及び刻音センサとして接触部材４２ａ及び刻音センサを例に挙げたが、これに限定されない。例えば、腕時計用バンドが備える接触部材としては、図１６、図１７、図１８、図１９及び図２０に示した接触部材が挙げられる。図１６から図２０は、他の実施形態に係る接触部材の構造の一例を示す図である。図１６から図２０のいずれかに示した接触部材であっても、上述した接触部材４２ａと同じ効果を奏する。図１６から図２０のいずれかに示した接触部材及び刻音センサの説明では、上述した接触部材４２ａ及び刻音センサ４３ａに関する説明と同じ内容の説明を省略する。
【００９１】
図１６に示したエンドピース４０ｂは、接触部材４２ｂと、刻音センサ４３ｂとを備える。図１６に示すように、接触部材４２ｂは、ＹＺ平面による断面の一部がバネ棒２０ａに向かって円弧状に曲がっている。また、刻音センサ４３ｂは、一部が接触部材４２ｂに接触しており、それ以外の部分が接触部材４２ｂから離れている。
【００９２】
図１７に示したエンドピース４０ｃは、接触部材４２ｃと、刻音センサ４３ｃとを備える。図１７に示すように、接触部材４２ｃは、ＹＺ平面による断面の一部がバネ棒２０ａに向かって一箇所折れ曲がっている。また、刻音センサ４３ｃは、全体が接触部材４２ｃに接触している。
【００９３】
図１８に示したエンドピース４０ｄは、接触部材４２ｄと、刻音センサ４３ｄとを備える。図１８に示すように、接触部材４２ｄは、ＹＺ平面による断面の一部がバネ棒２０ａに向かって一箇所折れ曲がっている。また、刻音センサ４３ｄは、一部が接触部材４２ｄに接触しており、それ以外の部分が接触部材４２ｄから離れている。
【００９４】
図１９に示したエンドピース４０ｅは、接触部材４２ｅと、刻音センサ４３ｅとを備える。図１９に示すように、接触部材４２ｅは、ＹＺ平面による断面の一部がバネ棒２０ａに向かって二箇所曲がっている。また、刻音センサ４３ｅは、全体が接触部材４２ｅに接触している。
【００９５】
図２０に示したエンドピース４０ｆは、接触部材４２ｆと、刻音センサ４３ｆとを備える。図２０に示すように、接触部材４２ｆは、ＹＺ平面による断面の一部がバネ棒２０ａに向かって二箇所曲がっている。また、刻音センサ４３ｆは、一部が接触部材４２ｆに接触しており、それ以外の部分が接触部材４２ｆから離れている。
【００９６】
［第四実施形態］
図２１及び図２２を参照しながら、第四実施形態に係る腕時計用バンドの一例について説明する。以下の説明では、図２１及び図２２の左半分を例に挙げて説明する。図２１及び図２２の右半分は、図２１及び図２２の左半分と同様である。
【００９７】
図２１は、第四実施形態に係る時計ケースとエンドピースとがバネ棒により接続される前におけるバネ棒及びエンドピースの構造を＋Ｚ方向側から見た場合の一例を示す図である。図２１に示すように、バネ棒２０ｇは、バネ棒筐体２１ｇと、突出部２２２ｇと、密封装置２４ｇとを備える。
【００９８】
バネ棒筐体２１ｇは、中心軸がＹ軸と一致しており、ＺＸ平面に平行な底面を有する円柱形状の筐体である。バネ棒筐体２１ｇの底面には、中心がＹ軸上に位置している円形の突出孔２１２Ｈｇを備える。また、バネ棒筐体２１ｇの側面には、側面にバネ挿入孔２５ｇが形成されている。
【００９９】
突出部２２２ｇは、突出孔２１２Ｈｇからバネ棒筐体２１ｇの外部に突出しており、中心軸がＹ軸と一致している円柱形状の部材である。また、突出部２２２ｇは、バネ棒筐体２１ｇの内部に位置している部分は、少なくとも一部のＺＸ平面内の寸法が突出孔２１２Ｈｇの直径よりも大きくなっている。さらに、突出部２２２ｇは、側面から張り出している円形のつば２２２０ｇを備える。つば２２２０ｇは、バネ棒２０ｇが時計ケース１０ａに取り付けられた場合、時計ケース１０ａに接触する。
【０１００】
エンドピース４０ｇは、筐体４１ｇと、バネ４２ｇと、刻音センサ４３ｇとを備える。
【０１０１】
筐体４１ｇは、バネ４２ｇ及び刻音センサ４３ｇを収納しており、バネ棒２０ｇが挿入される。また、筐体４１ｇは、図１３に示したように、第一容器と第二容器とから構成されていることが好ましい。さらに、図２１に示すように、筐体４１ｇとバネ棒２０ｇとの間は、密封装置５０ｇにより密封されてもよい。密封装置５０ｇは、筐体４１ｇとバネ棒２０ｇとの間を密封するシールである。
【０１０２】
バネ４２ｇは、一端が筐体４１ｇに接続されており、他端がバネ挿入孔２５ｇに挿入され、かつ、突出部２２２ｇをバネ棒筐体２１ｇの外側に向かって押している弾性部材である。ここで言う弾性部材は、例えば、板バネである。図２２は、第四実施形態に係る時計ケースとエンドピースとがバネ棒により接続される際におけるバネ棒及びエンドピースの構造を＋Ｚ方向側から見た場合の一例を示す図である。図２２に示すように、バネ４２ｇは、時計ケース１０ａとエンドピース４０ｇとがバネ棒２０ｇにより接続される際、バネ挿入孔２５ｇ側が内側に撓む。刻音センサ４３ｇは、バネ４２ｇに取り付けられている。
【０１０３】
以上、第四実施形態に係る腕時計用バンドについて説明した。腕時計用バンドが備える刻音センサ４３ｇは、バネ４２ｇに取り付けられている。これにより、腕時計用バンドは、時計ケース１０ａの内部で発生して時計ケース１０ａに伝達された刻音による振動を突出部２２２ｇ単体で取得してバネ４２ｇ及び刻音センサ４３ｇに伝達させる。したがって、腕時計用バンドは、より正確な刻音を示す刻音データを取得することができる。
【０１０４】
また、腕時計用バンドは、バネ棒２０ｇが収納される筐体４１ｇとバネ棒２０ｇとの間を密封する密封装置５０ｇを備える。これにより、腕時計用バンドは、筐体４１ｇとバネ棒２０ｇとの間に腕時計を装着しているユーザの汗等の水分が浸入することを抑制することができる。
【０１０５】
また、腕時計用バンドは、突出孔２１２Ｈｇと突出部２２２ｇとの間を密封する密封装置２４ｇを備える。これにより、腕時計用バンドは、突出孔２１２Ｈｇと突出部２２２ｇとの間に腕時計を装着しているユーザの汗等の水分が浸入することを抑制することができる。
【０１０６】
また、第一実施形態及び第二実施形態で説明したプログラムは、上述した機能の全部又は一部を実現するプログラムであってもよい。なお、上述した機能の一部を実現するプログラムは、上述した機能をコンピュータシステムに予め記録されているプログラムとの組み合わせで実現できるプログラム、いわゆる差分プログラムであってもよい。
【０１０７】
以上、本発明を実施するための形態について実施形態を用いて説明したが、本発明はこうした実施形態に限定されるものではなく、本発明の要旨を逸脱しない範囲内において種々の組合せ、変形及び置換を加えることができる。
【符号の説明】
【０１０８】
１００，１００ａ…腕時計、１０，１０ａ…時計ケース、２０，２０ａ，２０ｂ，２０ｃ，２０ｇ…バネ棒、２１ａ，２１ｂ，２１ｃ，２１ｇ…バネ棒筐体、２３…コイルバネ、２４ａ，２４ｇ…密封装置、３０，３０ａ，３０Ｘ，３０Ｙ…腕時計用バンド、３０１…刻音センサ、３０２…アンプ、３０３…フィルタ、３０４…環境センサ、３０５…発振回路、３０６…分周回路、３０７…ＲＯＭ、３０８…ＲＡＭ、３０９…ＣＰＵ、３１０…通信部、３０７０ａ，３０７０ｂ…データ送信プログラム、３０７１ａ，３０７１ｂ…データ取得機能、３０７２ａ…精度データ生成機能、３０７２ｂ，３０７３ａ…データ送信機能、３１１，３１１Ｘ，３１１Ｙ…バックル、３１２…セグメント、３１２Ｘ，３１２Ｙ…ベルト、３１３…ケーブル、３１２１，３１２１Ｘ，３１２１Ｙ…収納部、４０ａ，４０ｂ，４０ｃ，４０ｄ，４０ｅ，４０ｆ，４０ｇ…エンドピース、４１ａ，４１ｂ，４１ｇ…筐体、４２ａ，４２ｂ，４２ｃ，４２ｄ，４２ｅ，４２ｆ…接触部材、４２ｇ…バネ、４３ａ，４３ｂ，４３ｃ，４３ｄ，４３ｅ，４３ｆ，４３ｇ…刻音センサ、４４ｂ…軸、５０ａ，５０ｇ…密封装置
【図１】
2020163106.tif 000003
【図２】
2020163106.tif 000004
【図３】
2020163106.tif 000005
【図４】
2020163106.tif 000006
【図５】
2020163106.tif 000007
【図６】
2020163106.tif 000008
【図７】
2020163106.tif 000009
【図８】
2020163106.tif 000010
【図９】
2020163106.tif 000011
【図１０】
2020163106.tif 000012
【図１１】
2020163106.tif 000013
【図１２】
2020163106.tif 000014
【図１３】
2020163106.tif 000015
【図１４】
2020163106.tif 000016
【図１５】
2020163106.tif 000017
【図１６】
2020163106.tif 000018
【図１７】
2020163106.tif 000019
【図１８】
2020163106.tif 000020
【図１９】
2020163106.tif 000021
【図２０】
2020163106.tif 000022
【図２１】
2020163106.tif 000023
【図２２】
2020163106.tif 000024